(57)【要約】【課題】有用性の高い衣料品照明装置およびシステムを提供する。【解決手段】可視光のみによる照明と可視光に紫外光を加えた照明とを切換え可能とするとともに紫外光のみによる照明は不可とする。所定以上の外光が入射するとき可視光に紫外光を加えない。開店時間帯以外は可視光に紫外光を加えない。可視光に紫外光を加えた照明下にある白色の衣料品が陳列棚から持ち出されたとき天井灯照明の可視光に紫外光を加える。持ち出された白色の衣料品が試着室に持ち込まれ、試着室の照明の可視光に紫外光が加えられると天井灯照明の可視光に紫外光を加えないようにする。白色の衣料品が陳列棚から持ち出されているが試着室に持ち込まれたのが白色の衣料品でないとき、天井等照明の可視光への紫外光付加を継続する。【選択図】図４
2014143088.tif 000002
【特許請求の範囲】
【請求項１】
可視光のみによる照明と可視光に紫外光を加えた照明とを切換え可能とするとともに紫外光のみによる照明を不可とする構成を備えたことを特徴とする衣料品照明装置。
【請求項２】
外光検知手段を有し、前記外光検知手段に基づいて可視光のみによる照明と可視光に紫外光を加えた照明とを切換えることを特徴とする請求項１記載の衣料品照明装。
【請求項３】
時間帯に応じて可視光のみによる照明と可視光に紫外光を加えた照明とを切換えることを特徴とする請求項１または２記載の衣料品照明装。
【請求項４】
照明対象の衣料品の所在に応じて可視光のみによる照明と可視光に紫外光を加えた照明とを切換えることを特徴とする請求項１から３のいずれかに記載の衣料品照明装。
【請求項５】
他の衣料品照明装置による照明状況に応じて可視光のみによる照明と可視光に紫外光を加えた照明とを切換えることを特徴とする請求項１から４のいずれかに記載の衣料品照明装
【請求項６】
請求項１から４のいずれかの衣料品照明装置を複数備え、相互に連携してそれぞれ可視光のみによる照明と可視光に紫外光を加えた照明とを切換えることを特徴とする衣料品照明システム。
【請求項７】
可視光のみによる照明と可視光に紫外光を加えた照明とを切換え可能とする構成を備えた第１の衣料品照明装置と、可視光のみによる照明と可視光に紫外光を加えた照明とを切換え可能とする構成を備えた第２の衣料品照明装置とを有し、相互に連携して前記切換を行なうことを特徴とする衣料品照明システム。
【請求項８】
前記第１の衣料品照明装置において可視光に紫外光を加えた照明が行なわれるとき前記第２の衣料品照明装置において可視光のみによる照明を行なうことを特徴とする請求項７記載の衣料品照明システム。
【請求項９】
前記第１の衣料品照明装置は試着室の照明装置であるとともに、前記第２の衣料品照明装置は天井灯照明装置であることを特徴とする請求項８記載の衣料品照明システム。
【請求項１０】
白色の衣料品が前記第１の照明装置の照明下に持ち出されたとき前記第１の照明灯において可視光のみによる照明を可視光に紫外光を加えた照明に切換えるとともに、前記試着室が使用されるとき前記第１の照明灯において可視光に紫外光を加えた照明を可視光のみによる照明に切換えることを特徴とする請求項９記載の衣料品照明システム。
【請求項１１】
前記試着室が使用されるとき持ち込まれたのが白色の衣料品でないとき前記第１の照明灯において可視光に紫外光を加えた照明を継続することを特徴とする請求項９記載の衣料品照明システム。
【請求項１２】
可視光に紫外光を加えた照明が行なわれている前記第１の衣料品照明装置の照明下にある白色の衣料品が前記第２の衣料品照明装置の照明下に持ち出されたとき前記第２の衣料品照明装置において可視光のみによる照明を可視光に紫外光を加えた照明に切換えることを特徴とする請求項７から１１のいずれかに記載の衣料品照明システム。
【請求項１３】
前記第１の衣料品照明装置は陳列棚の照明装置であるとともに、前記第２の衣料品照明装置は天井灯照明装置であることを特徴とする請求項１２記載の衣料品照明システム。
【請求項１４】
外光検知手段を有し、前記外光検知手段が所定以上の外光を検知するとき前記第２の衣料品照明装置における可視光のみによる照明を継続することを特徴とする請求項１２または１３記載の衣料品照明システム。
【請求項１５】
開店時間外であるとき前記第２の衣料品照明装置における可視光のみによる照明を継続することを特徴とする請求項１２から１４のいずれかに記載の衣料品照明システム。
【発明の詳細な説明】
【技術分野】
【０００１】
本発明は、衣料品照明装置およびシステムに関する。
【背景技術】
【０００２】
従来、商品の照明に関しては種々の照明装置およびシステムが提案されている。また、商品照明の光源としてＬＥＤを用いることも提案されている。例えば、天井面および商品棚へ適正な光を照射するため、広い範囲の天井面を照射する上方照射用ＬＥＤ光源によって空間全体の明るさ感を増すとともに、狭い範囲の下方を照射する下方照射用ＬＥＤ光源によって商品棚の間の通路は照らさず、商品棚の商品等を明るく照らすことが提案されている。(特許文献１)
【先行技術文献】
【特許文献】
【０００３】
【特許文献１】特開２０１２−１１３８５５号公報
【発明の概要】
【発明が解決しようとする課題】
【０００４】
しかしながら衣料品照明装置およびシステムに関しては、さらに検討すべき課題が多い。
【０００５】
本発明の課題は、上記に鑑み、より有用性の高い衣料品照明装置およびシステムを提供することにある。
【課題を解決するための手段】
【０００６】
上記課題を達成するため、本発明は、可視光のみによる照明と可視光に紫外光を加えた照明とを切換え可能とするとともに紫外光のみによる照明を不可とする構成を備えた衣料品照明装置を提供する。これによって、紫外光のみによる照明が誤って点灯しているのに気付かない等の不都合を防止することができる。
【０００７】
本発明の具体的な特徴によれば、外光検知手段を設け、この外光検知手段に基づいて可視光のみによる照明と可視光に紫外光を加えた照明とを切換える。これにより、紫外光を含む自然の外光が入射しているときに無用に可視光に紫外光を加えた照明を行なうのを避けることができる。
【０００８】
他の具体的な特徴によれば、時間帯に応じて可視光のみによる照明と可視光に紫外光を加えた照明とを切換える。これによって、例えば顧客のいない開店時間以外の時間帯における無用の紫外光照射で衣料品を退色させることを防止できる。
【０００９】
他の具体的な特徴によれば、照明対象の衣料品の所在に応じて可視光のみによる照明と可視光に紫外光を加えた照明とを切換える。これによって、顧客が白色の衣料品を持って移動すること対応した照明が可能となる。
【００１０】
本発明の他の特徴によれば、可視光のみによる照明と可視光に紫外光を加えた照明とを切換え可能とする構成を備えた第１の衣料品照明装置と、可視光のみによる照明と可視光に紫外光を加えた照明とを切換え可能とする構成を備えた第２の衣料品照明装置とを有し、相互に連携して切換を行なう衣料品照明システムが提供される。これによって衣料品売場の種々の状況に適切に対応することが可能となる。
【００１１】
具体的な特徴によれば、第１の衣料品照明装置において可視光に紫外光を加えた照明が行なわれるとき第２の衣料品照明装置において可視光のみによる照明を行なう。これによって、白色の衣料品が第２の衣料品照明装置の照明下に移動したとき第１の衣料品照明装置における無用な紫外光の付加を避けることが出来る。例えば、第１の衣料品照明装置は天井灯照明装置であるとともに、第２の衣料品照明装置は試着室の照明装置である。さらに具体的な特徴によれば、白色の衣料品が第１の照明装置の照明下に持ち出されたとき第１の照明灯において可視光のみによる照明を可視光に紫外光を加えた照明に切換えるとともに、試着室が使用されるとき前記第１の照明灯において可視光に紫外光を加えた照明を可視光のみによる照明に切換える。またさらに具体的な特徴によれば、試着室が使用されるとき持ち込まれたのが白色の衣料品でないとき第１の照明灯において可視光に紫外光を加えた照明を継続する。
【００１２】
他の具体的な特徴によれば、可視光に紫外光を加えた照明が行なわれている前記第１の衣料品照明装置の照明下にある白色の衣料品が前記第２の衣料品照明装置の照明下に持ち出されたとき前記第２の衣料品照明装置において可視光のみによる照明を可視光に紫外光を加えた照明に切換える。これによって、顧客が白色の衣料品を持って移動すること対応した照明が可能となる。例えば、第１の衣料品照明装置は陳列棚の照明装置であるとともに、第２の衣料品照明装置は天井灯照明装置である。
【００１３】
他の具体的な特徴によれば、外光検知手段を有し、外光検知手段が所定以上の外光を検知するとき第２の衣料品照明装置における可視光のみによる照明を継続する。また他の具体的な特徴によれば、開店時間外であるとき第２の衣料品照明装置における可視光のみによる照明を継続する。これらによって、無用な紫外光の付加を回避できる。
【発明の効果】
【００１４】
上記のように、本発明によれば、より有用性の高い衣料品照明装置およびシステムが提供される。
【図面の簡単な説明】
【００１５】
【図１】本発明の実施例１における衣料品照明装置の斜視図および正面図である。（実施例１）
【図２】本発明の実施例２における衣料品照明装置の正面図およびブロック図である。（実施例２）
【図３】本発明の実施例３における衣料品照明装置のブロック図である。（実施例３）
【図４】本発明の実施例４における衣料品照明制御システムのブロック図である。（実施例４）
【図５】本発明の実施例５における衣料品照明制御システムのブロック図である。（実施例５）
【図６】本発明の実施例６における衣料品照明制御システムのブロック図である。（実施例６）
【図７】本発明の実施例７における衣料品照明制御システムのブロック図である。（実施例７）
【図８】本発明の実施例８における衣料品照明制御システムのブロック図である。（実施例８）
【図９】本発明の実施例９における一体化照明灯のブロック図である。（実施例９）
【図１０】本発明の実施例１０における一体化照明灯のブロック図である。（実施例１０）。
【図１１】図４から図８に示す実施例４から実施例８において用いられる統括コントローラの動作を示すフローチャートである。
【図１２】図１１のステップＳ２８の詳細を示すフローチャートである。
【図１３】図１１のステップＳ３０の詳細を示すフローチャートである。
【発明を実施するための形態】
【実施例１】
【００１６】
図１は、本発明の実施の形態に係る衣料品照明装置の実施例１を示す斜視図および正面図である。図１（Ａ）は衣料品照明装置２の斜視図であり、衣料品照明装置２は本体４と回転フィルタ盤６を有する。なお、図１（Ａ）は説明の必要上、本体４と回転フィルタ盤６を分解して図示しているが、実際には、回転フィルタ盤６は本体４の前面に接して配置され、矢印８に示すように、中心軸１０の周りを回転可能である。
【００１７】
本体４の正面には中心軸１０に回転対象に複数のＬＥＤ群１２が配置されており、これらのＬＥＤ群１２はそれぞれか可視光域から紫外光域に渡る帯域の照明光を射出する。一方、回転フィルタ盤６には可視光域のみの光を透過させる通常照明用フィルタ群１４、および可視光域から紫外光域に渡る帯域の光を透過させる白色衣料照明用フィルタ群１６が中心軸１０に回転対象に交互に配置されている。そして、中心軸１０まわりに回転フィルタ盤６を回転させることにより、すべてのＬＥＤ群１２の前に通常照明用フィルタ群１４が位置する状態と、すべてのＬＥＤ群１２の前に白色衣料照明用フィルタ群１６が位置する状態とが切り換えられるようになっている。
【００１８】
衣料品には、染料で染められた色物の衣料品と、白色の衣料品があるが、白色衣料品は例えば木綿等はそのままの状態ではいわゆる生成り色になるため蛍光剤が入れられており、これに紫外光が当たることにより純白に見えるようにしている。太陽光や蛍光灯等の通常光には自然に紫外光が含まれているため、上記のように構成された白色の衣料品は意図通り純白に見える。
【００１９】
これに対し、ＬＥＤ照明では可視光域の光のみを照射できるよう構成できる、これは衣料品一般にとっては利点であり、紫外域の光によって色物の衣料品が退色することが防止できる。例えば、濃い色調の紳士服などは、明るい通常照明下で所定時間以上衣料品売場に陳列しておくと紫外光による退色のため廃棄せざるを得ないことが知られているが、可視光域の光のみを照射できるよう構成したＬＥＤ照明ではこのような問題が軽減される。
【００２０】
これに対し、可視光域の光のみを照射できるよう構成できるよう構成したＬＥＤ照明装置により白色の衣料品を照明すると、蛍光材が入っているにもかかわらず衣料品売場内では生成り色に見え、購買意欲を減退させる。かといって、従来と同様に紫外光域の光も照射できるようにを含むようＬＥＤ照明装置を構成すると、せっかくのＬＥＤ照明の利点が損なわれ、色物の衣料品が退色することを防止できなくなる。
【００２１】
ここにおいて、上記の実施例１の構成は、回転フィルタ盤６を回転させることにより、色物の衣料品を対象に可視光域の光のみを照射できる状態と、白色の衣料品を対象に可視光域の光とともに紫外光域の光も照射できるよう切り換える構成を提供する。図1（Ｂ）および（Ｃ）は、この切り換えを説明するための回転フィルタ盤６の正面図であり、通常照明用フィルタ群１４および白色衣料照明用フィルタ群１６の位置関係をＬＥＤ群１２とともに示している。
【００２２】
図１（Ｂ）は、すべてのＬＥＤ群１２の前に通常照明用フィルタ群１４が位置する状態を示しており、ＬＥＤ群１２から照射される紫外光成分がカットされて可視光域の光のみが照射される。衣料品照明装置２の照明範囲の陳列棚等に色物の衣料品が置かれているときは、衣料品照明装置２を図１（Ｂ）の状態にすることにより、色物の衣料品の退色を防止することができる。
【００２３】
一方、図１（Ｃ）は、図１（Ｂ）の状態から矢印８の方向に回転フィルタ盤６をフィルタ１つ分回転させた状態を示しており、すべてのＬＥＤ群１２の前に白色衣料照明用フィルタ群１６が位置する状態を示しており、ＬＥＤ群１２から照射される紫外光成分も白色衣料照明用フィルタ群１６を透過し、可視光域の光とともに照射される。衣料品照明装置２の照明範囲の陳列棚等に白色の衣料品が置かれているときは、衣料品照明装置２を図１（Ｃ）の状態にすることにより、紫外光が蛍光剤に作用して白色の衣料品を意図通りの純白に見せることができる。また、白色の衣料品は基本的に染料等が含まれていないため、退色の問題は少ない。なお、図１（Ｃ）の状態から図１（Ｂ）の状態に戻すには、矢印１８の方向に回転フィルタ盤６をフィルタ１つ分逆回転させる。実施例１では、通常照明用フィルタ群１４および白色衣料照明用フィルタ群１６の各フィルタが交互に循環配置されているので矢印１４で示す同方向に回転フィルタ盤６をさらにフィルタ１つ分回転させても図１（Ｃ）の状態から図１（Ｂ）の状態に戻すことができる。
【００２４】
なお、実施例１において、ＬＥＤ群１２自体において、可視光域の照明光とともに照射射される紫外光域の照明光の混在成分比が白色の衣料品の照明に適するよう調整されている場合には、回転フィルタ盤６の白色衣料照明用フィルタ群１６を省略し、回転フィルタ盤６の該当する位置に単なる素通しの開口を設ける構成としてもよい。
【００２５】
なお回転フィルタ盤６は、手動により回転させることができるが、モータやソレノイドアクチュエータなどの駆動源により駆動可能とし、この駆動源を制御することにより回転させることも可能である。このような制御においては信号による電気的制御ができるので、有線または無線による遠隔操作も可能となるり、天井灯など手の届かない場所に設置された照明にも適用できる。
【実施例２】
【００２６】
図２は、本発明の実施の形態に係る衣料品照明装置の実施例２を示す正面図およびブロック図である。図２（Ａ）は、実施例２の衣料品用照明装置２２の正面図である。実施例２の衣料品用照明装置２２は、図１における実施例１の本体４と同様の外観形状をしているので図２では斜視図を省略している。図２（Ａ）には衣料品用照明装置２２に配置される複数のＬＥＤ群を示しており、可視光域の光のみを照射する比較的多数の可視光ＬＥＤ群２４と、いわゆるブラックライトに該当する比較的少数の紫外光ＬＥＤ群２６が配置されている。そして、衣料品照明装置２２の照明範囲の陳列棚等に色物の衣料品が置かれているときは、可視光ＬＥＤ群２４のみを点灯するとともに、照明範囲の陳列棚等に白色の衣料品が置かれているときは、可視光ＬＥＤ群２４とともに紫外光ＬＥＤ群２６を点灯させる。これによって、実施例１と同様にして、色物の衣料品の退色を防止するとともに白色の衣料品を意図通りの純白に見せることができる。
【００２７】
なお、実施例２において、白物の衣料品を照明する平均的な明るさ色物の衣料品を照明する平均的な明るさよりも明るくする意図があるときは、紫外光ＬＥＤ群２６を、実施例１におけるような可視光域から紫外光域に渡る帯域の照明光を射出する紫外光付加ＬＥＤ群に置き換えてもよい。これによって、可視光ＬＥＤ群２４とともに紫外光付加ＬＥＤ群を点灯させたときは、紫外光域の照明光が混在するようになるとともに、可視光域の照明光も明るくなる。
【００２８】
図２（Ｂ）は、実施例２のは、本発明の実施の形態に係る衣料品照明装置の実施例２を示す正面図およびブロック図である。図２（Ａ）は、実施例２の衣料品用照明装置をＬＥＤ灯２８の部分とコントローラ３０の部分に分けて図示したブロック図である。ＬＥＤ灯２８の部分は図２（Ａ）に示した可視光ＬＥＤ群２４および紫外光ＬＥＤ群２６を含み、コントローラ３０の部分はその点灯を制御する。
【００２９】
コントローラ３０の電源回路３２には電灯線３４から電力が供給され、スイッチ３６を介して可視光ＬＥＤ群２４のみを点灯させるか、または可視光ＬＥＤ群２４とともに紫外光ＬＥＤ群２６を点灯させるか、またはいずれをも点灯させないかが切り換えられる。スイッチ３６は手動操作できる操作部３８によって制御される他、赤外線または近距離電波によるリモコン信号４０を送受信する送受信部４２により外部から無線で遠隔操作される。
【実施例３】
【００３０】
図３は、本発明の実施の形態に係る衣料品照明装置の実施例３を示すブロック図であり、ＬＥＤ灯４２の部分とコントローラ４４の部分に分けて図示している。実施例３は、単なるオンオフだけでなくいわゆる調光を可能にするもので、全体の明るさおよび可視光域の照明光と紫外光域の照明光の混在比率を連続的に制御できる。実施例３のＬＥＤ灯４２におけるＬＥＤ群４６は、可視光域のみの照明光を射出する可視光ＬＥＤ群４６および可視光域から紫外光域に渡る帯域の照明光を射出する紫外光付加ＬＥＤ群紫外光付加ＬＥＤ群４８を有する。可視光ＬＥＤ群４６および紫外光付加ＬＥＤ群４８は、それぞれスイッチ素子５０および５２を介して定電流源５４および５６に接続されている。また、可視光ＬＥＤ群４６および紫外光付加ＬＥＤ群４８には、コントローラ４４の電源回路５８を介して電灯線６０から電力が供給される。
【００３１】
以上の構成において、スイッチ素子５０および５２をそれぞれ個別に制御すれば、可視光ＬＥＤ群４６および紫外光付加ＬＥＤ群４８の点灯状態を個別に制御できる。スイッチ素子５０および５２は、それぞれＰＷＭ制御部６２および６４によりパルス駆動されており、それぞれのＰＷＭ制御におけるデューティーサイクルを１００％からゼロの間で変更することによりフル点灯から消灯の間で可視光ＬＥＤ群４６および紫外光付加ＬＥＤ群４８の明るさを独立に調光できる。
【００３２】
ＰＷＭ制御部６２および６４にそれぞれ個別に与えられるデューティーサイクルは個別デューティー制御部６６が制御する。個別デューティー制御部６６はコントローラ４４の照明制御部６８によって制御されている。照明制御部６８は記憶部７０を備え、可視光ＬＥＤ群４６および紫外光付加ＬＥＤ群４８の明るさの制御に基づく結果としての可視光と紫外光との混在比率および全体としての明るさの組み合わせを予め数種類選択可能にプリセットしておくことができる。例えば、紫外光付加ＬＥＤ４８のデューティーサイクルをゼロにすれば、色物の衣料品を対象とした照明ができる。また、その状態において可視光ＬＥＤ４６のデューティーサイクルを変えれば色物の衣料品を対象とした照明の明るさを変えることができる。また、可視光ＬＥＤ４６のデューティーサイクルを固定して紫外光付加ＬＥＤ４８のデューティーサイクルを変えれば紫外光成分の混在比率を調節でき、例えば紫外光成分の混在比率を小さく抑える設定をすれば、色物の衣料品と白色の衣料品が混在して置かれた陳列棚に対して折衷的な照明を行なうことができる。
【００３３】
なお、紫外光成分の混在比率の調節は、紫外光付加ＬＥＤ４８のデューティーサイクルを固定して可視光ＬＥＤ４６のデューティーサイクルの方を変えることによっても可能である。可視光ＬＥＤ４６のデューティーサイクルと紫外光付加ＬＥＤ４８のデューティーサイクルの組み合わせは、所望する全体の明るさと照明対象に応じ、任意にプリセットし、かつ選択することができる。照明制御部６８の操作は、手動操作可能な操作部７２、またはリモコン信号７４を受信する送受信部７６により行なうことができる。
【実施例４】
【００３４】
図４は、本発明の実施の形態に係る実施例４のブロック図であり、図１から３の実施例の衣料品照明装置等を適用した衣料品照明制御システムを示す。実施例４は、例として図２の実施例２における衣料品照明装置２２を適用して説明するので、図２と共通部分には共通の番号を付し、必要のない限り説明を省略する。なお、実施例４の衣料品照明制御システムにおいては、図２の実施例２に限らず、図１から図３の実施例またはこれらに類する他の実施例も適用可能である。これについては後述する実施例４以降の各実施例でも同様である。
【００３５】
図４の実施例４は、衣料品売場８２として構成され、陳列台８４の上面裏側に図２のＬＥＤ灯２８と同様の陳列台ＬＥＤ灯８６が配置され、陳列棚８８に載せられた衣料品９０を照明している。また、陳列棚８８の裏側には陳列台ＬＥＤ灯９２が配置され、陳列棚９４に載せられた衣料品９６を照明している。これらの陳列台ＬＥＤ灯８６、９２は、図２の実施例２におけるコントローラ３０と同様の陳列台コントローラ９８により制御されている。なお、陳列台コントローラ９８では、簡単のため、電源回路３２の図示を省略している。陳列台ＬＥＤ灯８６、９２は、陳列棚８８、９４にそれぞれ載せられた衣料品９０、９６が色物の衣料品か白色の衣料品かに応じ、紫外光ＬＥＤ群２６を点灯するか否か切り換えられる。図４では、簡単のため陳列台ＬＥＤ灯８６、９２共通のスイッチ３６を図示しているが、実際には陳列棚毎に紫外光を付加するか否か切り換えるため、ＬＥＤ灯８６、９２のそれぞれを制御する専用スイッチを設ける。この点については後述する実施例においても触れる。
【００３６】
統括コンとローラ１００は、衣料品売場８２内の照明を統括制御するためのＣＰＵ１０２を備えている。そして、陳列台８４の照明制御のためには、ＣＰＵ１０２の制御に基づき、送受信部１０４からのリモコン信号４０が陳列台コンとローラ９８の送受信部４２に送信される。ＣＰＵ１０２は手動操作が可能な操作部１０６の操作によっても、送受信部１０４からリモコン信号４０を送信することができる。
【００３７】
以上のように、例えば陳列台の照明制御は手動操作に基づくリモコン信号４０によっても制御可能であるが、次にＣＰＵによる自動制御について説明する。統括コントローラ１００は外光センサ１０８を備え、窓１１０からの自然紫外光を含んだ外光１１２の入射の有無を検知する。そして、所定以上の外光１１２の入射がある場合には、陳列台ＬＥＤ灯８６、９２からの紫外光の照射は不要なので、衣料品９０、９６が白色の衣料品であっても、陳列台ＬＥＤ灯８６、９２からの紫外光の照射を自動停止する。
【００３８】
次に、時間に基づく自動照明制御について説明する。統括コントローラ１００には時計１１４が備えられており、ＣＰＵ１０２は時計１１４の情報に基づき、衣料品売場８２の始業前の時間帯および終業後の時間帯において陳列台ＬＥＤ灯８６、９２からの紫外光の照射を自動停止する。顧客１１６が衣料品売場８２内におらず、従業員だけである場合は、白色の衣料品であってもこれを純白に見せる必要はないので、上記のように就業時間外では紫外光を混在させた照明を停止し、紫外光が混在する照明範囲に色物の衣料品が混じって置かれている場合などにおける退色を防止する。勿論、従業員だけの場合であっても、白色の衣料品の照明状態をテストする必要があるときは、操作部３８または操作部１０６によって手動で紫外光が混在した照明に切り換えることが可能である。
【００３９】
統括コントローラ１００は、さらに衣料品売場８２内の複数のＬＥＤ灯の連携制御を行なうことができる。例えば、統括コントローラ１００は天井ＬＥＤ灯１１８を陳列台８４の状況と連携させて制御することができる。天井ＬＥＤ灯１１８および天井コントローラ１２０は、図２の衣料品用照明装置２２と同様の構成であり、衣料品売り場８２全体に可視光域の照明光とともに紫外光域の照明光を照射することができるとともに可視光域のみの照明光に切換える制御ができる。なお、図４の天井コントローラ１２０では簡単のため、操作部と電源回路の図示を省略している。
【００４０】
天井ＬＥＤ灯１１８は、衣料品売り場８２内を広く照明するので、その照明範囲内には色物の衣料品と白色の衣料品が混在している可能性が高い。従って、色物の衣料品の退色を避けるため、天井ＬＥＤ灯１１８においては、通常は紫外線の照射を行わず、可視光域のみの照明光で衣料品売場８２の照明を行う。個々の陳列台では照明対象の衣料品に応じて照明の制御が行われるので、白色の衣料品に対しては、例えば陳列台ＬＥＤ灯８６、９２からの紫外光の照射に任せ、上記のように天井ＬＥＤ灯１１８による衣料品売場８２全体の照明については可視光域のみの光とすることは合理的である。
【００４１】
しかしながら、顧客１１６が例えば陳列棚８８から衣料品９０を取り出し、これが白色の衣料品であった場合には、衣料品９０が陳列台ＬＥＤ８６からの紫外光の照射範囲から離れ、生成り色に見えることなる。このため図４の実施例４では、陳列台８４に不図示の取り出しセンサ（後述の実施例で詳述）を設け、紫外光照明下の衣料品９０が陳列棚８８から取り出されたことが検知されると、陳列台コントローラ９８の送受信部４２から統括コントローラの送受信部１０４に検知信号４０が送信される。送受信部１０４が検知信号４０を受けるとＣＰＵ１０２は、送受信部１０４から天井コントローラ１２０の送受信部１２４に指令信号１２６を送信し、スイッチ１２２により天井ＬＥＤ灯１１８を切換えて可視光とともに紫外光が照射されるようにする。これによって、顧客１１６が白色の衣料品９０を手に取っても、これが生成り色に見えることが防止される。統括コントローラ１００は例えば上記のような衣料品売場８２内の複数のＬＥＤ灯の連携制御を行なう。
【００４２】
衣料品売場８２には、さらに鏡１２７を備えた試着室兼昼光コーナー１２８が設けられている。試着室兼昼光コーナー１２８における試着室ＬＥＤ灯１３０および試着室コントローラ１３２は、図２の衣料品用照明装置２２と同様の構成であり、試着室兼昼光コーナー１２８内に可視光域の照明光とともに紫外光域の照明光を照射することができるとともに可視光域のみの照明光に切換える制御ができる。なお、図４の試着室コントローラ１３２では簡単のため、電源回路の図示を省略している。試着室兼昼光コーナー１２８では、白色の衣料品を試着する際において、これが生成り色に見えるのを防止するとともに、昼光の元での種々の衣料品の色を確認することを可能とする。
【００４３】
なお、少なくとも試着室兼昼光コーナー１２８内で白色の衣料品が生成り色になるのを防止すればよいので、顧客１１６が陳列棚８８から衣料品９０を取り出して試着室兼昼光コーナー１２８に持ち込むまでの間は白色の衣料品が生成り色に見えるのを許容するよう衣料品売場８２を構成することもできる。つまり、天井ＬＥＤ灯１１８による衣料品売場８２全体の照明については常に可視光域のみの光とし、衣料品売場８２内の色物の衣料品の退色防止を優先する。この場合は、天井光ＬＥＤ灯の切換え制御を省略し、天井光ＬＥＤ灯については可視光域のみの光を照射する構成のものを採用することができる。
【００４４】
試着室兼昼光コーナー１２８の制御を具体的に説明すると、顧客１１６が陳列棚８８から白色の衣料品９０を取り出した旨の検知信号４０が統括コントローラ１００の送受信部１０４で受信されると、ＣＰＵ１０２は、送受信部１０４から試着室コントローラ１３２の送受信部１３４に指令信号１３６を送信し、スイッチ１３８により試着室ＬＥＤ灯１３０を切換えて可視光とともに紫外光が照射されるようにする。これによって、顧客１１６が白色の衣料品９０を試着室兼昼光コーナー１２８に持ち込んだときにこれが生成り色に見えることが防止される。統括コントローラ１００は、このような衣料品売場８２内の複数のＬＥＤ灯の連携制御も行なう。
【００４５】
試着室ＬＥＤ灯１３０の切換えは、試着室コントローラ１３２の操作部１４０の手動操作でスイッチ１３８を切換えることによっても可能である。この場合、操作部１４０によって試着室ＬＥＤ灯１３０が可視光のみの状態から紫外光も照射されるようスイッチ１３８が切換えられたとき、送受信部１３４から統括コントローラ１００の送受信部１０４に報告信号１３６が送信される。送受信部１０４が報告信号１３６を受けるとＣＰＵ１０２は、送受信部１０４から天井コントローラ１２０の送受信部１２４に指令信号１２６を送信し、天井ＬＥＤ灯１１８から可視光とともに紫外光が照射されていた場合にこれを可視光のみとするよう切換える。つまり、白色の衣料品９０が陳列台８４から持ち出されて試着室兼昼光コーナー１２８に運ばれる間に生成り色に見えるのを防止するために天井ＬＥＤ灯１１８から可視光とともに紫外光が照射していた場合、白色の衣料品が試着室ＬＥＤ灯１３０に持ち込まれればその必要がなくなるので、自動的にスイッチ１２２により天井ＬＥＤ灯１１８を切換えて可視光のみの照射に復帰させる。統括コントローラ１００は、このような衣料品売場８２内の複数のＬＥＤ灯の連携制御も行なう。なお、この場合、操作部１４０の手動操作に代えて試着室兼昼光コーナー１２８に不図示の人感センサ（後述の実施例で詳述）を設け、自動的に試着室ＬＥＤ灯１３０を紫外光も照射されるよう切換え、これに伴って、自動的に天井ＬＥＤ灯１１８が可視光のみの照射に復帰するよう構成することもできる。
【実施例５】
【００４６】
図５は、本発明の実施の形態に係る実施例５のブロック図であり、図４の実施例４と同様にして衣料品照明制御システムを示す。図５の実施例５における衣料品売場１４２は、図４の実施例４の衣料品売場８２と共通する部分が多いので、同じ部分に同じ番号を付して必要のない限り説明を省略する。また、統括コントローラ１００および試着室兼昼光コーナー１２８は詳細構成が同じなので、図５では内部のブロックの図示も省略する。
【００４７】
図５の実施例５が図４の実施例４と異なるのは、陳列台１４４および陳列台コントローラ１４６の構成であり、陳列棚８８、９４に置かれている衣料品１４８、１５０が色物の衣料品か白色の衣料品かを自動的に識別して陳列台ＬＥＤ灯８６、９２を可視光のみで照明するか紫外光を加えて照明するか切換えるための具体的な手段が示されている。また、陳列棚から衣料品を取り出したことを自動検知する手段も示されている。
【００４８】
以下具体的に説明すると、衣料品１４８、１５０にはそれぞれＩＣタグ１５２、１５４が貼り付けられており、ＩＣタグリーダ１５６、１５８は電波１６０、１６２によってＩＣタグ１５２、１５４の貼り付けられた衣料品１４８、１５０が色物の衣料品か白色の衣料品かを識別する。そして識別結果がサブＣＰＵ１６４に送信され、サブＣＰＵ１６４は識別結果に応じてスイッチ１６６、１６８を制御することにより陳列台ＬＥＤ灯８６、９２を可視光のみで照明するか紫外光を加えて照明するか切換える。例えば、陳列棚８８に置かれているの衣料品１４８が色物であることをＩＣタグリーダ１５６が検知すると、サブＣＰＵ１６４はスイッチ１６６を制御して陳列台ＬＥＤ灯８６から可視光のみが照射されるようにする。一方、陳列棚９４に置かれている衣料品１５０が白色のものであることをＩＣタグリーダ１５８が検知すると、サブＣＰＵ１６４はスイッチ１６８を制御して陳列台ＬＥＤ灯９２から可視光に加えて紫外光が照射されるようにする。
【００４９】
以上のように実施例５では、陳列棚に置かれている衣料品の種類を自動的に識別して陳列棚毎に適切な照明を選択する。さらに、ＩＣタグリーダ１５６、１５８はそれぞれ陳列棚８８、９４から取り出されたことを検知し、サブＣＰＵ１６４は検知結果を送受信部４２から統括コントローラ１００に通知する。統括コントローラはこの通知を受けて天井コントローラ１２４に指示し、取り出されたのが白色の衣料品である場合には、天井ＬＥＤ灯１１８からの照明に紫外光を加えるよう自動制御する。例えば、陳列棚９４から白色の衣料品１５０が白色のものである場合、天井ＬＥＤ灯１１８からの照明を自動切換えし、可視光に加えて紫外光が照射されるようにする。これに対し、陳列棚８８から色物の衣料品１４８が取り出された場合は天井ＬＥＤからの可視光のみによる照明を継続する。
【実施例６】
【００５０】
図６は、本発明の実施の形態に係る実施例６のブロック図であり、図４、５における実施例４、５と同様にして衣料品照明制御システムを構成する。また、実施例６は、実施例４、５と共通するところが多いので、図６では陳列台１７２および陳列台コントローラ１７４以外の部分の図示を省略し、それらの説明も省略する。また、図示している部分においても実施例４、５と同じ部分には同じ番号を付して必要のない限り説明を省略する。
【００５１】
図６の実施例６が、図４、５における実施例４、５と異なるのは、白色の衣料品に紫外光域の光を照射する際、実施例４、５では衣料品の表面に紫外光域の光を照射して反射方向に蛍光を得ていたのに対し、実施例６では、衣料品の裏面に紫外光域の光を照射してその透過方向に蛍光を得るよう構成した点である。
【００５２】
具体的に説明すると、陳列棚８８における照明は図４の実施例と同じであって、陳列棚８８に置かれた衣料品９０が白色の衣料品であった場合、陳列台ＬＥＤ灯８６からの照明光に含まれる紫外光により衣料品からの反射光１７６の中に含まれる蛍光により衣料品９０が純白に見える。これに対し、陳列棚１７８の照明においては上部において可視光のみを下方に照射する陳列台可視光ＬＥＤ灯１８０が配置されるとともに、陳列棚１７８は紫外線透過材料で構成され、その背面（下面）には上方に向けて紫外光を照射する陳列台紫外光ＬＥＤ灯１８２が配置される。そして、陳列台可視光ＬＥＤ灯１８０は衣料品の如何にかかわらず点灯されるとともに陳列台紫外光ＬＥＤ灯１８２は陳列台１７８に置かれた衣料品が白色のものである場合のみ点灯される。
【００５３】
以上の構成によって、陳列棚１７８に置かれた衣料品１８４が白色の衣料品であった場合、可視光については陳列台可視光ＬＥＤ灯１８０からの照明光による反射光１８６が得られるとともに、陳列台紫外光ＬＥＤ灯１８２からの透過光１８８の中に含まれる蛍光により衣料品１８４が純白に見える。
【００５４】
図６の実施例６における陳列台１７２は、さらに仕切り板１９０を隔ててハンガーコーナーが設けられており、ハンガー１９２に衣料品１９４が吊るされている。そして、ハンガーコーナーの上部には可視光のみを下方に照射する陳列台可視光ＬＥＤ灯１９６が配置されるとともに、ハンガー１９２は紫外線透過材料で構成され、その内部には外に向かって紫外光を照射する陳列台紫外光ＬＥＤ灯１９８が配置されている。そして、陳列台可視光ＬＥＤ灯１９６はハンガー１９２に吊るされた衣料品の如何にかかわらず点灯されるとともにハンガー１９２内部の陳列台紫外光ＬＥＤ灯１９８は吊るされた衣料品１９４が白色のものである場合のみ点灯される。
【００５５】
以上の構成によって、ハンガー１９２に吊るされた衣料品１９４が白色の衣料品であった場合、可視光については陳列台可視光ＬＥＤ灯１９６からの照明光による反射光２００が得られるとともに、陳列台紫外光ＬＥＤ灯１９８からの透過光２０２の中に含まれる蛍光により衣料品１９４が純白に見える。
【００５６】
陳列台コントローラ１７４におけるサブＣＰＵ２０４は、操作部３８の操作、送受信部４２が受信する信号、または不図示のＩＣタグリーダによる検知のいずれかに基づいてスイッチ３６、２０６、２０８、２１０、２１２をそれぞれ制御する。スイッチ３６の制御は実施例４等と同様である。また、スイッチ２０６、２１０は衣料品の如何にかかわらず照明の要否に基づいてオンオフされる。一方、スイッチ２０８、２１２は、スイッチ２０６、２１０がオンされているという条件下において、衣料品が色物であるときはオフされ、衣料品が白色のものであるときはオンされる。
【実施例７】
【００５７】
図７は、本発明の実施の形態に係る実施例７のブロック図であり、図４から図６における実施例４から実施例６と同様にして衣料品照明制御システムを示す。図７の実施例７における衣料品売場２１４は、図４の実施例４の衣料品売場８２と共通する部分が多いので、同じ部分に同じ番号を付し、必要のない限り説明を省略する。また、統括コントローラ１００、陳列台８４および陳列台コントローラ９８は詳細構成が同じなので、図７では内部のブロックの図示も省略する。
【００５８】
図７の実施例７が図４の実施例４と異なるのは、試着室コントローラ２１８が人感センサ２２０を備え、サブＣＰＵ２２４は顧客１１６が試着室兼昼光コーナー２１６に入った時にスイッチ１３８に指示して自動的に試着室ＬＥＤ灯１３０をオンすることである。さらに、試着室コントローラ２１８はＩＣタグリーダ２２２を備え、顧客１１６が試着室兼昼光コーナー２１６に持ち込んだのが白色の衣料品であるか否か検知する。サブＣＰＵ２２４はＩＣタグリーダ２２２に応答し、持ち込まれたのが白色の衣料品である場合にはスイッチ１３８を制御して試着室ＬＥＤ灯１３０から可視光に加えて紫外光が照射されるよう切換える。
【００５９】
また、白色の衣料品を陳列台８４から持ち出して衣料品売り場２１４内を移動した顧客１１６が試着室兼昼光コーナー２１６に入ったことが人感センサ２２０によって検知されると、送受信部１３４から統括コントローラ１００に報告信号１３６が送信される。これに応答して統括コントローラ１００は天井コントローラ１２０の送受信部１２４に指令信号１２６を送信し、スイッチ１２２により天井ＬＥＤ灯１１８を切換えて、可視光とともに紫外光が照射されていた場合においてこれを可視光のみとする。
【実施例８】
【００６０】
図８は、本発明の実施の形態に係る実施例８のブロック図であり、図４から図７における実施例４から実施例７と同様にして衣料品照明制御システムを示す。図８の実施例８における衣料品売場２２６は、図４の実施例４の衣料品売場８２と共通する部分が多いので、同じ部分に同じ番号を付して必要のない限り説明を省略する。
【００６１】
図８の実施例８が図４の実施例４と異なるのは、各コントローラの連携手段である。すなわち、図４の実施例４の衣料品売場８２における各コントローラ９８、１００、１２０、１２８は、送受信部４２、１０４、１２４、１３４の間の双方向無線通信信号４０、１２６、１３６によって行われている。これに対し、図８の実施例８の衣料品売場２２６では、各コントローラ２２８、２３０、２３２、２３４の間の連携は、電力線通信（ＰＬＣ）によって行われる。図７の実施例７までの説明では省略していたが、衣料品売場２２６には電力線２３６が分電盤２３８に引き込まれており、屋内配線ケーブル２４０によって衣料品売場２２６内各部に給電されている。さらに衣料品売場２２６内各部には電力線通信モデムが設けられ、屋内配線ケーブル２４０を通じた電力線通信により連携している。
【００６２】
具体的に説明すると、統括コントローラ２３０の各部に給電している電源回路２４２が電力線通信モデム２４４を介して屋内配線ケーブル２４０に接続されている。そして、電力線通信モデム２４４の分波合成機能によりＣＰＵ１０２は屋内配線ケーブル２４０から通信信号を授受する。同様にして、陳列台コントローラ２２８、天井コントローラ２３２、試着室コントローラ２３４のスイッチ３６、１２２、１３８はそれぞれ電力線通信モデム２４６、２４８、２５０を介して屋内配線ケーブル２４０に接続されている。そして、電力線通信モデム２４６、２４８、２５０の分波合成機能により屋内配線ケーブル２４０から通信信号を授受し、統括コントローラ２３０のＣＰＵ１０２と通信している。  
【実施例９】
【００６３】
図９は、本発明の実施の形態に係る実施例９のブロック図であり、図４から図８における実施例４から実施例７に説明した衣料品照明制御システムに用いることができる一体化照明灯２５２を示す。なお、図９の実施例９の各部構成は、図４から図７における実施例４から実施例７の構成と共通する部分が多いので、同じ部分には同じ番号を付して必要のない限り説明を省略する。実施例９は、実施例４から実施例７で説明したコントローラ、通信機能、人感センサ、ＩＣタグリーダの機能をＬＥＤ灯と一体化した照明器具として構成され、汎用の照明器具の電力接続部に接続するだけで実施例４から実施例７で説明した衣料品売場の機能が実現できるようにしたものである。
【００６４】
具体的には、コンセント、ソケット、照明器具の照明灯交換部等に一体化照明灯２５２の汎用照明器具電力接続部２５４を接続する。コンセント、ソケット、照明器具の照明灯交換部等は、衣料品売場における陳列台、天井、試着室等における既存のものでよい。上記のように一体化照明灯２５２は、ＬＥＤ灯２８とともに送受信部４２を備えたコントローラ２５６. 人感センサ２２０、ＩＣタグリーダ１５６を一体化しているので、汎用照明器具電力接続部２５４を既存の電力接続部に接続するだけで、衣料品売場の各部照明において実施例４から実施例７に説明した機能を実現することができる。
【実施例１０】
【００６５】
図１０は、本発明の実施の形態に係る実施例１０のブロック図であり、図８における実施例８に説明した衣料品照明制御システムに用いることができる一体化照明灯２５８を示す。なお、図１０の実施例１０の各部構成は、図８、９における実施例８、９の構成と共通する部分が多いので、同じ部分には同じ番号を付して必要のない限り説明を省略する。実施例１０は、実施例８で説明したコントローラ、通信機能、人感センサ、ＩＣタグリーダの機能をＬＥＤ灯と一体化した照明器具として構成され、実施例９と同様にして、汎用の照明器具の電力接続部に接続するだけで、実施例８で説明した衣料品売場の機能が実現できるようにしたものである。実施例９と異なるのは通信機能が電力線通信であることを前提にして構成されている点である。
【００６６】
具体的には、実施例９と同様にして、コンセント、ソケット、照明器具の照明灯交換部等に一体化照明灯２５２の汎用照明器具電力接続部２５４を接続する。上記のように一体化照明灯２５８は、ＬＥＤ灯２８とともにコントローラ２６２. 電力線通信モデム２６０、人感センサ２２０、ＩＣタグリーダ１５６を一体化しているので、汎用照明器具電力接続部２５４を既存の電力接続部に接続するだけで、衣料品売場の各部照明において実施例８に説明した電力線通信による連携機能を実現することができる。
【００６７】
図１１は、図４から図８に示す実施例４から実施例８において用いられる統括コントローラ１００のＣＰＵ１０２の動作を示すフローチャートである。フローは統括コントローラの電源が投入されるとスタートし、まずステップＳで他の各コントローラとの間の通信を確立する。そして、ステップＳ４で天井灯１１８を可視光のみで点灯させる指示を行う。次いで、ステップＳ６で試着室ＬＥＤ灯１３０を紫外光なしの昼光色で点灯させる指示を行う。さらにステップＳ８では、全陳台における全ての陳列台ＬＥＤを可視光のみで点灯させる指示を行ってステップＳ１０に移行する。
【００６８】
ステップＳ１０では、衣料品売場８２等の開店時間帯であるかまたは開店前もしくは閉店後であるかチェックする。そして開店時間帯でなければステップＳ１２に移行し、ＬＥＤ灯の発光に紫外光付加するための手動操作が行われているか否かチェックする。そしてこの操作が行われていればステップＳ１４に移行する。一方、ステップＳ１０で回転時間帯であることが確認された場合もステップＳ１４に移行する。
【００６９】
ステップＳ１４では、陳列棚の点灯が行われているか否かの確認を行う。そして点灯が確認されるとステップＳ１６に進み、紫外光の付加を許可してステップＳ１８に移行する。上記ステップＳ１４は、可視光での点灯が行われていない状態で紫外光が照射される状態を防止するために置かれているものである。これは、特に、図６の実施例６の可視光ＬＥＤ１８０と紫外光ＬＥＤ１８２または可視光ＬＥＤ１９６と紫外光ＬＥＤ１９８のように可視光ＬＥＤと紫外光ＬＥＤが離れて配置されている場合等において、紫外光ＬＥＤのみ誤って点灯しているのに気付かない等の不都合を防止するのに有益である。なお、ステップＳ１６に至った時点では、紫外光の付加が実行されるわけではなく、以後の機能に基づき紫外光の付加が指示されたときにその実行を予め許可されるだけである。
【００７０】
ステップＳ１８では、白色の衣料品が陳列されている陳列棚があるか否かチェックする。このチェックは、例えば図５の実施例５におけるＩＣタグリーダ１５６からの情報に基づいて行うことができる。おこうことができる。統括コントローラ１００自体の制御履歴に基づいて行うことができる。また、陳列台コントローラ１４６等の操作部３８の操作に基づいて行うこともできる。白色の衣料品が陳列されている陳列台があることが確認された場合はステップＳ２０に進み、衣料品売場１４２等に所定以上の外光１１２の入射があ
るか否か図４に示す外光センサ１０８の出力に基づいてチェックされる。そしてが外光の入射が所定以下であった場合、ステップＳ２２に進んで、白色の衣料品が陳列されている陳列棚のＬＥＤ灯に紫外光を付加する指示を行ってステップＳ２４に移行する。
【００７１】
一方、ステップＳ１８で白色の衣料品が陳列されている陳列棚がないことが確認された場合、または、ステップＳ２０で衣料品売場に所定以上の外光入射がることが確認された場合はステップＳ２６に進み、全陳列棚のＬＥＤを可視光のみで点灯させる指示を行ってステップＳ２４に移行する。このように、白色の衣料品が陳列されている陳列台があっても外光入射が所定以上である場合は、全陳列棚のＬＥＤを可視光のみで点灯させる。なお、ステップＳ１４で陳列棚の点灯が行われていることが確認できない場合は最初から紫外光を付加するための処理は行わず、ステップＳ２５で陳列棚に関する限りの紫外光付加禁止を行ってステップＳ２４に移行する。
【００７２】
ステップＳ２４では、陳列棚に陳列されていた白色の衣料品が陳列棚から持ち出されている状態にあるか否かのチェックが行われる。このチェックは、例えば図５の実施例５におけるＩＣタグリーダ１５６からの情報に基づいて行うことができる。そして、ステップＳ２４で白色の衣料品が陳列棚から持ち出されていることが確認された場合、その白色の衣料品が天井ＬＥＤの照明範囲にあるか、または試着室で試着中であることを意味するのでステップＳ２８における試着室制御処理、およびステップＳ３０における天井灯連携処理を行ってステップＳ３２に移行する。これらの処理の詳細は後述する。なお、ステップＳ２４で白色の衣料品が陳列棚から持ち出されていることが確認されない場合、直接ステップＳ３２に移行する。
【００７３】
一方、ステップＳ１０で衣料品売場の開店時間帯でないことが確認され、かつステップＳ１２で紫外光付加の手動操作も行われていないことが確認されると、ステップＳ３４に進み、衣料品売場全体のすべてのＬＥＤ灯からの紫外光付加を禁止してステップＳ３２に移行する。これによって、開店時間帯以外における無用な紫外光の付加を避け、衣料品の退色を防止することができる。これに対し、既に述べたようにステップＳ１２で手動操作を行えば、開店前または閉店後であっても陳列台における紫外光付加による白色の衣料品の照明状況およびステップＳ２８におかえる試着室制御処理およびステップＳ３０における天井灯連携処理のテスト等を行うことができる。
【００７４】
ステップＳ３２では、統括コントローラの電源がオフされたか否かチェックし、電源オフが検知されない場合はステップＳ１０に戻る。以下、電源オフが検知されない限りステップＳ１０からステップＳ３４が繰り返され、種々の状況変化に対応する。一方、ステップＳ３２で統括コントローラの電源オフが検知されるとフローを終了する。
【００７５】
図１２は、図１１のステップＳ２８における試着室制御処理の詳細を示すフローチャートである。フローがスタートすると、ステップＳ４２で、図７に示す人感センサ２２０により試着室／昼光コーナー２１６に人が入っているか否かチェックする。人感センサ２２０による検知がない場合はステップＳ４４に進み、操作部１４０が操作されているか否かをチェックする。操作されていれば試着室／昼光コーナー２１６が使用中であることを意味する。なお、操作部１４０は前述のように紫外光を付加するか否かを手動で切り換える機能も有するが、図１２では自動切換えの機能を説明しており、ここで活用される操作部１４０の操作は、上記のように、単に試着室／昼光コーナー２１６が使用中であるか空いているかを外部に表示する機能である。
【００７６】
ステップＳ４４で試着室／昼光コーナー２１６が使用中であることを示す操作が確認されるとフローはステップＳ４６に進む。また、ステップＳ４２で、人感センサ２２０が試着室／昼光コーナー２１６に人が入っていることを確認した場合は直接ステップＳ４６に進む。ステップＳ４６では、白色の衣料品が試着室／昼光コーナー２１６に持ち込まれているか否かがチェックされる。このチェックは、図７に示すＩＣタグリーダ２２２等により可能である。
【００７７】
ステップＳ４６で、白色の衣料品が試着室／昼光コーナー２１６に持ち込まれていることが確認されるとステップＳ４８に進み、試着室ＬＥＤ灯１３０からの照明に紫外光を付加するよう指示してフローを終了する。一方、ステップＳ４６で、白色の衣料品が試着室／昼光コーナー２１６に持ち込まれていることが確認されない場合は、ステップＳ５０に移行し、試着室ＬＥＤ灯１３０の照明への紫外光付加を禁止してフローを終了する。またステップＳ４４で試着室／昼光コーナー２１６が使用中であることを示す操作が確認されない場合もステップＳ５０に移行し、試着室ＬＥＤ灯１３０の照明への紫外光付加を禁止してフローを終了する。
【００７８】
図１２のフローが終了すると、図１１のフローにおけるステップＳ３０に移行する。上記のように、電源オフが検知されない限り図１１のステップＳ１０からステップＳ３４が繰り返されるが、この繰り返しの中でステップＳ２８に至る度に図１２のフローが実行され、状況変化に応じて、紫外光を付加するか否かの自動切換えが行なわれる。
【００７９】
図１３は、図１１のステップＳ３０における天井灯連携処理の詳細を示すフローチャートである。フローがスタートすると、まずステップＳ５２で、図４に示す外光センサ１０８の出力に基づいて衣料品売場１４２等に所定以上の外光１１２の入射があるか否かがチェックされる。外光の入射が所定以下であるとステップＳ５４に進み、図７に示す人感センサ２２０により試着室／昼光コーナー２１６に人が入っているか否かチェックする。ステップＳ５４で人感センサ２２０による検知がない場合はステップＳ５６に進み、図１２のステップＳ４４と同様にして操作部１４０が操作されているか否かをチェックする。
【００８０】
ステップＳ５６で試着室／昼光コーナー２１６が使用中であることを示す操作が確認されるとフローはステップＳ５８に進む。また、ステップＳ５４で、人感センサ２２０が試着室／昼光コーナー２１６に人が入っていることを確認した場合は直接ステップＳ５８に進む。ステップＳ５８では、白色の衣料品が試着室／昼光コーナー２１６に持ち込まれているか否かがチェックされる。
【００８１】
ステップＳ５８で、白色の衣料品が試着室／昼光コーナー２１６に持ち込まれていることが確認されるとステップＳ６０に進み、天井灯１１８からの照明への紫外光付加禁止を指示してフローを終了する。これは、後述の機能により、陳列棚から持ち出された白色の衣料品を照明するため天井灯１１８の照明に紫外光が付加された場合において、その白色の衣料品が試着室／昼光コーナー２１６に持ち込まれることにより不要となった天井灯１１８からの紫外光をオフすることに該当する。なお、ステップＳ５２で所定以上の外光入射が検知される場合は陳列棚から白色の衣料品が持ち出されても天井灯１１８の照明に紫外光を付加する必要がないので、直接ステップＳ６０に移行し、天井灯１１８からの照明への紫外光付加禁止を指示してフローを終了する。
【００８２】
一方、ステップＳ４６で、白色の衣料品が試着室／昼光コーナー２１６に持ち込まれていることが確認されない場合は、ステップＳ５８に移行し、天井灯１１８の照明への紫外光付加を指示してフローを終了する。この場合は、試着室／昼光コーナー２１６に持ち込まれた衣料品は色物であり、他の顧客によって陳列棚から持ち出された白色の衣料品はまだ天井灯１１８の照明下にあると考えられるからである。またステップＳ５６で試着室／昼光コーナー２１６が使用中であることを示す操作が確認されない場合もステップＳ６２に移行し、天井灯１１８の照明への紫外光付加を指示してフローを終了する。この場合も白色の衣料品を陳列棚から持ち出した顧客がまだ試着室／昼光コーナー２１６に到着しておらず、白色の衣料品はまだ天井灯１１８の照明下にあると考えられるからである。
【００８３】
図１３のフローが終了すると、図１１のフローにおけるステップＳ３２に移行する。上記のように、電源オフが検知されない限り図１１のステップＳ１０からステップＳ３４が繰り返されるが、この繰り返しの中でステップＳ３０に至る度に図１２のフローが実行され、白色の衣料品の所在状況の変化に応じ、試着室／昼光コーナー２１６の照明制御と連携して天井灯の照明に紫外光を付加するか否かの自動切換えが行なわれる。
【００８４】
本発明の実施は、上記の実施例に限るものではなく、上記した本発明の種々の利点は、他の実施形態においても享受できる。例えば、図１１のフローチャートは統括コントローラ１００のＣＰＵ１０２の動作を示すものとして説明したが、その一部の機能を各コントローラに分担させてもよい。具体的には、図５の実施例５に示した陳列台コントローラ１４６のサブＣＰＵ１６４または図６の実施例６に示した陳列台コントローラ１７４のサブＣＰＵ２０４に、陳列台のＬＥＤ灯を制御する機能を分担させることが可能である。また図７の実施例７に示した試着室コントローラ２１８のサブＣＰＵ２２４に、試着室のＬＥＤ灯を制御する機能を分担させることも可能である。このように機能を分担させた場合、統括コントローラ１００のＣＰＵ１０２と各サブＣＰＵとは互いに情報交換をしながら連携して動作する。
【産業上の利用可能性】
【００８５】
本発明は、衣料品照明装置およびシステムに適用することができる。
【符号の説明】
【００８６】
８６、９２、１００、１１８、１３０、１４６、１７４、２３０  衣料品照明装置
１０８  外光検知手段
８２、１４２、２１４、２２６  衣料品照明システム
１２８  試着室
１１８、１２０  天井灯照明装置
８８、９４、１７８、陳列棚
【図１】
2014143088.tif 000003
【図２】
2014143088.tif 000004
【図３】
2014143088.tif 000005
【図４】
2014143088.tif 000006
【図５】
2014143088.tif 000007
【図６】
2014143088.tif 000008
【図７】
2014143088.tif 000009
【図８】
2014143088.tif 000010
【図９】
2014143088.tif 000011
【図１０】
2014143088.tif 000012
【図１１】
2014143088.tif 000013
【図１２】
2014143088.tif 000014
【図１３】
2014143088.tif 000015